(57)【要約】【課題】  データ書き換えが可能で記録層を多層有する光ディスク記録媒体において、ディスク全体のフォーマット状況をより迅速に把握できるようにする。【解決手段】  全記録層におけるフォーマット／未フォーマット部分を管理するフォーマッティングビットマップを１つの記録層に対して記録する。ディスク全体のフォーマット状況を把握するにあたって層間移動を不要にでき、これによってディスク全体のフォーマット状況の把握を迅速化できる。【選択図】図４
2006338771.tif 000002
【特許請求の範囲】
【請求項１】
データ書き換えが可能で且つ複数の記録層を有する光ディスク記録媒体について記録を行う記録装置として、
上記記録媒体の各記録層に対するデータ記録を行う記録手段と、
上記複数の記録層のうちの所定の１つの記録層に対し、上記複数の記録層におけるフォーマット／未フォーマット部分を管理するための管理情報が記録されるように、上記記録手段を制御する記録制御手段と、
を備えることを特徴とする記録装置。
【請求項２】
上記記録制御手段は、
記録層ごとにフォーマット／未フォーマット部分を個別に管理する複数の管理情報が記録されるように制御を行う、
ことを特徴とする請求項１に記載の記録装置。
【請求項３】
上記記録制御手段は、
上記複数の記録層の全体を対象として上記フォーマット／未フォーマット部分を管理する１つの管理情報が記録されるように制御を行う、
ことを特徴とする請求項１に記載の記録装置。
【請求項４】
データ書き換えが可能で且つ複数の記録層を有する光ディスク記録媒体について記録を行う記録装置の記録方法として、
上記複数の記録層のうちの所定の１つの記録層に対し、上記複数の記録層におけるフォーマット／未フォーマット部分を管理するための管理情報を記録するようにした、
ことを特徴とする記録方法。
【請求項５】
データ書き換えが可能で且つ複数の記録層を有する光ディスク記録媒体であって、
上記複数の記録層のうちの所定の１つの記録層に対し、上記複数の記録層におけるフォーマット／未フォーマット部分を管理するための管理情報が記録されている、
ことを特徴とする光ディスク記録媒体。
【発明の詳細な説明】
【技術分野】
【０００１】
本発明は、データ書き換えが可能で且つ複数の記録層を有する光ディスク記録媒体について記録を行う記録装置とその記録方法に関する。また、データ書き換えが可能で且つ複数の記録層を有する光ディスク記録媒体に関する。
【背景技術】
【０００２】
光学的に情報の記録または再生が可能な光記録媒体として光ディスク記録媒体が知られている。
このような光ディスク記録媒体として、ＤＶＤ（Digital Versatile Disc）が広く普及している。ＤＶＤとしては、情報がエンボスピットとランドとの組み合わせで記録された再生専用のＤＶＤ−ＲＯＭや、記録層に色素変化膜を用いて１度のみの記録が可能なＤＶＤ−ＲやＤＶＤ＋Ｒ、さらには記録層に相変化膜を用いてデータの書き換えが可能とされたＤＶＤ−ＲＷやＤＶＤ＋ＲＷが知られている。
【０００３】
このうち、データ書き換えが可能なディスクであるＤＶＤ＋ＲＷは、同じ書き換え可能型のディスクであるＤＶＤ−ＲＷよりも後発の規格であり、そのためＤＶＤ−ＲＷよりもユーザの使い勝手の向上が図られたものとなっている。
例えば、ＤＶＤ＋ＲＷでは、ディスクのフォーマット処理に要する時間の短縮化が図られるような工夫が為されている。
ここで、ＤＶＤ＋ＲＷのような書き換え可能なディスクにおいては、再生専用装置での再生が可能となるように、ユーザデータが記録されるべきデータエリア内において、ユーザデータが記録される以外の部分を例えばＡＬＬ”０”データ等によるダミーデータで埋め尽くす、いわゆるフォーマットと呼ばれる処理を行うようにされている。
従来においては、このような再生装置との互換性を確保するためのフォーマット処理を、ユーザデータの記録に先立ち、ディスク全体について行うものもあったが、ＤＶＤ＋ＲＷではフォーマット処理を行わずにユーザデータの記録を開始するようにされ、これによって記録開始までの時間を短縮化している。このとき、ディスクの残りの部分についてのフォーマット処理は、ドライブが書込や読出を行っていないアイドル状態であるときに自動的に行うようにされる。すなわち、このようにフォーマット処理をバックグラウンドで行うようにしたことで、実質的にユーザを待たせる時間の短縮化を図っており、これによって使い勝手の向上が図られている。このようなフォーマットの手法はバックグラウンドフォーマットと呼ばれている。
【０００４】
ここで、ＤＶＤ＋ＲＷでは、上記のようにして装填時にディスク全体がフォーマットされるものではないので、データエリア内の一部のみに記録が行われたディスクについて排出（イジェクト）要求が為されたときにはディスク全体についてのフォーマットが完了していない場合がある。
このように一部のみがフォーマットされた記録済みディスクについては、イジェクト時に再生専用装置との互換性が要求されることに応じて、ユーザデータの記録終了位置に対してテンポラリーリードアウトと呼ばれる仮のリードアウトエリアを付加する処理を行うようにされている。
このようにリードアウトエリアが付加されることで、再生専用装置における再生が可能となる。また、仮のリードアウトエリアであるので、当該ディスクが再度装填されてユーザデータの追記が行われるときには、このテンポラリーリードアウトは消去されて新たなユーザデータの追記が可能となる。
【０００５】
上記のようなＤＶＤ＋ＲＷにおけるバックグラウンドフォーマットとテンポラリーリードアウトについて、次の図６、図７を参照して説明する。
これらの図では、ディスクのエリア構造を示しており、リードインエリア（Lead-in）はディスクの最内周に位置し、このリードインエリアの外周側にユーザデータが記録されるべきデータエリア（Data Area）が続く構造となっている。
先ず図６では、ディスクに対して或るデータファイルが記録された状態を例示に示している。ディスクに対してデータファイルが記録される場合、データエリア内においては、図示するように所謂虫食い状態でユーザデータＵＤが記録される可能性が高い。つまり、ＵＤＦ（Universal Disc Format）が採用される場合では特に、リードインエリアに続くデータエリアの最内周部分に対し、図示するユーザデータＵＤ１としてファイルの管理情報を記録するようにされている。そしてこのとき、実データとしてのデータファイルは必ずしも管理情報の記録領域と隣接した領域に記録されるものではないことから、最内周に記録されたユーザデータＵＤ１とこのような実データとしてのユーザデータＵＤ２とが間隔を隔てて記録される可能性が高いものである。
このような虫食い状態で記録が行われたディスクでは、データエリア内において未記録の部分が存在し、またリードアウトエリアも付加されていない状態であるので、そのままでは再生専用装置との互換性は得られない。
【０００６】
上述したバックグラウンドフォーマットとしては、図７（ａ）に示されるようにして、ユーザデータの記録順序に従って、データエリア内の最内周側から外周方向にかけて、所定の記録単位によるブロックＢＦごとにダミーデータの記録を行っていく。
ここで、例えば図７（ａ）に示すようにしてデータエリア内の最内周側からブロックＢＦ１、ＢＦ２・・・ＢＦ５までバックグラウンドフォーマットが完了した状態で、先の図６と同様のデータファイルの記録が行われて、データエリア内にユーザデータＵＤ１、ユーザデータＵＤ２が記録されたとする。
これによると、次の図７（ｂ）に示すように、既にバックグラウンドフォーマットが為されたことで、ユーザデータＵＤ１とユーザデータＵＤ２の間の未記録部分にはダミーデータが記録された状態にある。このような状態で、ディスクのイジェクト要求がなされ、且つ再生専用装置との互換が要求されたときには、図示するようにユーザデータＵＤ２の記録終了点（データエリアの記録終了点）の外周部に対してテンポラリーリードアウトを付加するのみで、迅速にディスクをイジェクトすることができる。
このようにバックグラウンドフォーマットが行われることで、イジェクト時にダミーデータを記録する部分をなくす、或いは少なくすることができ、その分イジェクト時のユーザの待ち時間を短縮化できるようになる。
【０００７】
ところで、上記のようなバックグラウンドフォーマットとしては、ディスクに対する書込や読出指示が為されたときはこれを一旦停止する必要があるので、再度アイドル状態となってバックグラウンドフォーマットを開始するときは、ディスク上の未フォーマット部分が正しくフォーマットされるように、ディスク上のどの部分がフォーマット済みであるかが把握されている必要がある。
また、このようなバックグラウンドフォーマット時に限らず、ファイナライズ時やファイナライズ前の再生互換要求時においても、フォーマットがどの部分で完了しているかを認識していなければ、未フォーマット部分について正しくフォーマットを行うことができない。
【０００８】
そこでＤＶＤ＋ＲＷの規格では、ディスク上のフォーマット／未フォーマット部分を管理するためのフォーマッティングビットマップと呼ばれる管理情報をディスク上の所定領域に記録するようにされている。
例えば、現状のＤＶＤ＋ＲＷディスクでのフォーマッティングビットマップとしては、データエリアを所定の記録単位により分割し、この記録単位ごとにフォーマット／未フォーマットを示す１ビットの情報を対応させて記録するものとしている。つまり、フォーマッティングビットマップは、データエリア全体を縮小化したイメージとなっており、その１ビットを参照することでデータエリア内の所定単位ごとのフォーマット／未フォーマットを知ることができる。
現状のＤＶＤ＋ＲＷでは、データエリアを１ＥＣＣブロック（１６セクター）の単位で分割し、１ＥＣＣブロックごとにフォーマット／未フォーマットを示す１ビットの情報を対応させている。１２ｃｍディスクの場合、データエリアは最大で143444ＥＣＣブロックとなるので、このようなフォーマッティングビットマップとしては少なくとも143444ビットの情報が必要とされる。なお、実際の都合上、フォーマッティングビットマップの格納領域には９セクター（147456ビット）が割り当てられている。
【０００９】
なお、関連する従来技術については下記の特許文献を挙げることができる。
【特許文献１】特開２００３−４５１１７号公報
【発明の開示】
【発明が解決しようとする課題】
【００１０】
ところで、ＤＶＤ＋ＲＷとしては、現状では記録層が１層のみのものが提案されているが、例えば他のＤＶＤ−ＲＯＭやＤＶＤ−Ｒ・ＤＶＤ＋Ｒで既に実現されているように、記録層を多層化することが考えられている。
【００１１】
ここで、記録層が単層の従来の場合、上記したフォーマッティングビットマップとしては、その層におけるデータエリアを管理するためのものをその層において格納するようにされている。
そこで、記録層を多層化したＤＶＤ＋ＲＷとしても、これに倣い各層ごとに各層のデータエリアを管理するフォーマッティングビットマップを格納することが考えられる。
【００１２】
但し、記録装置において、実際にディスクに対するフォーマットを開始するにあたっては、先ずフォーマッティングビットマップからディスク全体のフォーマット状況を把握する必要がある。
このとき、上記のようにして各層ごとにフォーマッティングビットマップが分散して格納されていると、ディスク全体のフォーマット状況を把握するためには、各層間を移動するシーク動作が必要となり、その分フォーマットの開始が遅れるといった問題が生じてしまうことになる。
【課題を解決するための手段】
【００１３】
そこで、本発明では以上のような問題点に鑑み、記録装置として以下のようにすることとした。
つまり、データ書き換えが可能で且つ複数の記録層を有する光ディスク記録媒体について記録を行う記録装置として、先ず、上記記録媒体の各記録層に対するデータ記録を行う記録手段を備える。
その上で、上記複数の記録層のうちの所定の１つの記録層に対し、上記複数の記録層におけるフォーマット／未フォーマット部分を管理するための管理情報が記録されるように、上記記録手段を制御する記録制御手段を備えるようにした。
【発明の効果】
【００１４】
このようにして、複数の記録層を有する光ディスク記録媒体においてフォーマット／未フォーマット部分を管理する管理情報が１つの記録層に対し記録されることで、ディスク全体のフォーマット状況を把握するにあたっては層間移動を不要にできる。つまり、これによってディスク全体のフォーマット状況の把握を迅速に行うことができ、この結果フォーマットを迅速に開始することができる。
【発明を実施するための最良の形態】
【００１５】
以下、発明を実施するための最良の形態（以下実施の形態とする）について説明していく。
図１は、本実施の形態の光ディスク記録媒体としてのディスク１の断面構造を示している。
本実施の形態のディスク１としては、データの書き換えが可能で且つ記録層を多層有するＤＶＤ（Digital Versatile Disc）方式のディスクであり、具体的にはＤＶＤ＋ＲＷのフォーマットに準拠した多層ＤＶＤ＋ＲＷディスクであるとする。
なお、以下では説明の便宜上、ディスク１には第１記録層（Layer0）と第２記録層（Layer1）の２つの記録層のみが備えられているとする。
この場合、２つの記録層は相変化記録膜とされ、ディスク１はこれら２つの記録層を比較的小さな間隔を置いて２層積層した構造を有するものとなる。
また、図示するように２つの記録層は、第１記録層が後述するディスクドライブ装置の光ピックアップ３内の対物レンズ３ａにより近い側の層とされ、第２記録層は対物レンズ３ａからより遠い側の層となる。
このような２層ディスクの記録時においては、ディスクドライブ装置の光ピックアップ３から対物レンズ３ａを介して出射するレーザ光をいずれかの記録層に絞り込み、その記録層に信号を記録することになる。
【００１６】
図２は、ディスク１のエリア構造を示している。
なお、この図ではディスク１の記録方式としてオポジットトラックパスが採用される場合を例示している。
オポジットトラックパスの場合、図中矢印Ｒ１、Ｒ２に示されるように、ユーザデータの記録順序としては第１記録層の内周側から始まり第１記録層の終わりまで記録した後に、第２記録層の外周から内周へかけて記録を行うものとなる。
この場合、始めに記録が行われるべき第１記録層では、内周側から外周側にかけてリードインエリア（Lead-in）→データエリア（Data Area0）→ミドルエリア（Middle Area）が形成される。また第２記録層では外周側から内周側にかけて、ミドルエリア→データエリア（Data Area1）→リードアウトエリア（Lead-out）が形成されることになる。
【００１７】
リードインエリアは、ディスク１のメディア種別を示す情報や管理情報等といったディスク１の記録／再生に必要な各種の情報が記録されるべき領域である。
なお、特に本実施の形態のディスク１には、このリードインエリア内にフォーマッティングビットマップと呼ばれる管理情報も記録されるがこれについては後述する。
また、データエリアは、ユーザデータが記録されるべき領域である。
ミドルエリアは、層間折り返し部分より外周側の領域に付加されたものとなる。なお、このようなミドルエリアを設けるのは、再生専用装置ではディスク盤面に記録したピットを読むので、ピットの無い領域ではサーボもかからずデータを安定して読み出す事ができないことから、その為のガードとなる領域として、例えばダミーデータを記録した領域が必要となるからである。
また、リードアウトエリアも、上記ミドルエリアと同様にガード領域としての機能も有するもので、例えばダミーデータ等が記録された領域となる。
【００１８】
図３は、ディスク１に対応して記録を行う本実施の形態の記録装置としてのディスクドライブ装置の内部構成を示したブロック図である。
本実施の形態のディスクドライブ装置としては、ＤＶＤ＋ＲＷであるディスク１に対応した記録装置として、所謂バックグラウンドフォーマットと呼ばれるフォーマット処理を行うようにされている。
このバックグラウンドフォーマットとは、当該ディスクドライブ装置においてディスク１に対するデータの書込／読出のいずれも行われていない状態（アイドル状態）において、ディスク１のデータエリアに対し、再生専用装置での再生が可能となるようにするためのダミーデータの記録（フォーマットと呼ばれる）を自動的に行うものである。
また、ディスク１の全体をフォーマットして再生専用装置との互換性を確保する所謂ファイナライズが行われなくても、再生専用装置との互換を要求するイジェクト要求があったときには、ユーザデータの記録が完了している部分の終端にリードアウトエリアを付加し、且つこの終端より内周側の領域にデータの未記録部分がある場合はそこにダミーデータを記録することで、再生専用装置での再生を可能とすることができるようにされる。
なお、これらの動作は既に周知であるのでここでの詳細な説明は省略する。
【００１９】
また、本実施の形態のディスクドライブ装置としては、ＤＶＤ＋ＲＷであるディスク１以外にも、ＤＶＤ−ＲＯＭ、ＤＶＤ−Ｒ、ＤＶＤ＋Ｒ、ＤＶＤ−ＲＷ等の他のＤＶＤディスクにも対応して記録及び／又は再生を行うことができる、所謂マルチドライブとして構成される。
【００２０】
図３において、ディスク１或いは他のＤＶＤディスク（以下単にディスクと称する）は、図示しないターンテーブルに積載され、記録再生動作時においてスピンドルモータ２によって一定線速度（ＣＬＶ）もしくは一定角速度（ＣＡＶ）で回転駆動される。そしてピックアップ３によってディスクにエンボスピット形態、色素変化ピット形態、或いは相変化ピット形態で記録されているデータの読み出しが行なわれることになる。
【００２１】
ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系、対物レンズをトラッキング方向及びフォーカス方向に移動可能に保持する二軸機構などが形成される。
またピックアップ３全体はスライド駆動部４によりディスク半径方向に移動可能とされている。
【００２２】
ディスクからの反射光情報はフォトディテクタによって検出され、受光光量に応じた電気信号とされてＲＦアンプ８に供給される。
ＲＦアンプ８には、ピックアップ３内の複数のフォトディテクタからの出力電流に対応して電流電圧変換回路、マトリクス演算／増幅回路等を備え、マトリクス演算処理により必要な信号を生成する。例えば再生データであるＲＦ信号、サーボ制御のためのフォーカスエラー信号ＦＥ、トラッキングエラー信号ＴＥなどを生成する。
ＲＦアンプ８から出力される再生ＲＦ信号は再生信号処理部９へ、フォーカスエラー信号ＦＥ、トラッキングエラー信号ＴＥはサーボ制御部１０へ供給される。
【００２３】
ＲＦアンプ８で得られた再生ＲＦ信号は再生信号処理部９において、２値化、ＰＬＬクロック生成、ＥＦＭ＋信号（８−１６変調信号）に対するデコード処理、エラー訂正処理等が行われる。
再生信号処理部９は、ＤＲＡＭ１１を利用してデコード処理やエラー訂正処理を行う。なおＤＲＡＭ１１は、ホストインターフェース１３から得られたデータを保存したり、ホストコンピューターに対してデータ転送する為のキャッシュとしても用いられる。
そして再生信号処理部９は、デコードしたデータをキャッシュメモリとしてのＤＲＡＭ１１に蓄積していく。
このディスクドライブ装置からの再生出力としては、ＤＲＡＭ１１にバファリングされているデータが読み出されて転送出力されることになる。
【００２４】
また再生信号処理部９では、ＲＦ信号に対するＥＦＭ＋復調並びにエラー訂正により得られた情報の中から、サブコード情報やATIP情報、LPP情報、ADIP情報、セクターID情報などを抜き出しており、これらの情報をコントローラ１２に供給する。
【００２５】
コントローラ１２は、例えばマイクロコンピュータで形成され、装置全体の制御を行う。特にこの場合、上述したバックグラウンドフォーマットはこのコントローラ１２の制御に基づいて行われる。つまりコントローラ１２は、ディスク１について書込も読出も行われていないアイドル状態を検出したことに応じ、必要な各部を制御してダミーデータの記録を実行させる。例えば、変調部１４によりダミーデータ（例えばＡＬＬ”０”データ）の変調データを生成させ、またサーボ制御部１０に対するアクセス実行制御を行うことで、記録動作を実行させる。また、このバックグラウンドフォーマット以外の他のフォーマットについても、同様にコントローラ１２の制御に基づいて実行される。
このとき、コントローラ１２は、上記フォーマットとしてのダミーデータの記録を、所定の記録単位であるブロックＢＦを最小単位として行うようにされる。この場合のダミーデータの記録の最小単位としては、例えば１ＥＣＣ（Error Correcting Code）ブロック（１６セクター）とされる。
【００２６】
ホストインターフェース１３は、外部のパーソナルコンピュータ等のホスト機器と接続され、ホスト機器との間で再生データやリード／ライトコマンド等の通信を行う。
即ちＤＲＡＭ１１に格納された再生データは、ホストインターフェース１３を介してホスト機器に転送出力される。
またホスト機器からのリード／ライトコマンドや記録データ、その他の信号はホストインターフェース１３を介してＤＲＡＭ１１にバッファリングされたり、コントローラ１２に供給される。
【００２７】
ホスト機器からライトコマンド及び記録データが供給されることでディスクに対する記録が行われる。
データの記録時においては、ＤＲＡＭ１１にバッファリングされた記録データは、変調部１４において記録のための処理が施される。即ちエラー訂正コード付加、ＥＦＭ＋変調などの処理が施される。
そしてこのように変調された記録データがレーザ変調回路１５に供給される。レーザ変調回路１５は、記録データに応じてピックアップ３内の半導体レーザを駆動し、記録データに応じたレーザ出力を実行させ、ディスクにデータ書込を行う。
【００２８】
この記録動作時においては、コントローラ１２は、ディスクの記録領域に対してピックアップ３から記録パワーでレーザー光を照射するように制御される。
ディスクが色素変化膜を記録層としたライトワンス型のものである場合は、記録パワーのレーザ照射により、色素変化によるピットが形成されていく。
また、本実施の形態のディスク１のように相変化記録層を有するリライタブルディスクの場合は、レーザー光の加熱によって記録層の結晶構造が変化し、相変化ピットが形成されていく。つまりピットの有無と長さを変えて各種のデータが記録される。また、ピットを形成した部分に再度レーザー光を照射すると、データの記録時に変化した結晶状態が加熱によって元に戻り、ピットが無くなってデータが消去される。
【００２９】
サーボ制御部１０は、ＲＦアンプ８からのフォーカスエラー信号ＦＥ、トラッキングエラー信号ＴＥや、再生信号処理部９もしくはコントローラ１２からのスピンドルエラー信号ＳＰＥ等から、フォーカス、トラッキング、スライド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路６に供給する。フォーカス／トラッキング駆動回路６は、ピックアップ３における二軸機構のフォーカスコイル、トラッキングコイルを駆動することになる。これによってピックアップ３、ＲＦアンプ８、サーボ制御部１０、フォーカス／トラッキング駆動回路６、二軸機構によるトラッキングサーボループ及びフォーカスサーボループが形成される。
【００３０】
なおフォーカスサーボをオンとする際には、まずフォーカスサーチ動作を実行しなければならない。フォーカスサーチ動作とは、フォーカスサーボオフの状態で対物レンズを強制的に移動させながらフォーカスエラー信号ＦＥのＳ字カーブが得られる位置を検出するものである。公知の通り、フォーカスエラー信号のＳ字カーブのうちのリニア領域は、フォーカスサーボループを閉じることで対物レンズの位置を合焦位置に引き込むことのできる範囲である。従ってフォーカスサーチ動作として対物レンズを強制的に移動させながら、上記の引込可能な範囲を検出し、そのタイミングでフォーカスサーボをオンとすることで、以降、レーザースポットが合焦状態に保持されるフォーカスサーボ動作が実現されるものである。
【００３１】
また本例の場合、ディスクは上述のように第１記録層（Layer0），第２記録層（Layer1）としての２層構造となっている場合がある。
当然ながら、第１記録層に対して記録再生を行う場合はレーザ光は第１記録層に対して合焦状態となっていなければならない。また第２記録層に対して記録再生を行う場合はレーザ光は第２記録層に対して合焦状態となっていなければならない。
このような第１記録層，第２記録層間でのフォーカス位置の移動はフォーカスジャンプ動作により行われる。
フォーカスジャンプ動作は、一方の記録層で合焦状態にあるときに、フォーカスサーボをオフとして対物レンズを強制的に移動させ、他方の記録層に対するフォーカス引込範囲内に到達した時点（Ｓ字カーブが観測される時点）でフォーカスサーボをオンとすることで実行される。
【００３２】
サーボ制御部１０はさらに、スピンドルモータ駆動回路７に対してスピンドルエラー信号ＳＰＥに応じて生成したスピンドルドライブ信号を供給する。スピンドルモータ駆動回路７はスピンドルドライブ信号に応じて例えば３相駆動信号をスピンドルモータ２に印加し、スピンドルモータ２の回転を実行させる。またサーボ制御部１０はコントローラ１２からのスピンドルキック／ブレーキ制御信号に応じてスピンドルドライブ信号を発生させ、スピンドルモータ駆動回路７によるスピンドルモータ２の起動、停止、加速、減速などの動作も実行させる。
【００３３】
またサーボ制御部１０は、例えばトラッキングエラー信号ＴＥの低域成分として得られるスライドエラー信号や、コントローラ１２からのアクセス実行制御などに基づいてスライドドライブ信号を生成し、スライド駆動回路５に供給する。スライド駆動回路５はスライドドライブ信号に応じてスライド駆動部４を駆動する。スライド駆動部４には図示しないが、ピックアップ３を保持するメインシャフト、スレッドモータ、伝達ギア等による機構を有し、スライド駆動回路５がスライドドライブ信号に応じてスライド駆動部４を駆動することで、ピックアップ３の所要のスライド移動が行なわれる。
【００３４】
なお、ここではディスクドライブ装置がパーソナルコンピュータ等のホスト機器（情報処理装置）の外付けのドライブ装置として構成される場合を例示したが、当然のことながらこのような情報処理装置に内蔵されるディスクドライブ装置として構成することもできる。
また、ここでは光ディスクドライブ装置がＤＶＤ系のディスクにのみ対応するものとしたが、ＣＤ（Compact Disc）等の他の光ディスク記録媒体にも対応する構成とすることもできる。
【００３５】
ここで、上記のようにして本実施の形態のディスク１についてはバックグラウンドフォーマットを行うようにされているが、このバックグラウンドフォーマットとしては、ディスク１に対する書込や読出指示が為されたときはこれを一旦停止する必要があり、よって再度アイドル状態となってバックグラウンドフォーマットを開始するときは、ディスク上の未フォーマット部分に正しくフォーマットが行われるように、ディスク１上のどの部分がフォーマット済みであるかが把握されている必要がある。
また、このようなバックグラウンドフォーマット時に限らず、ファイナライズ時やファイナライズ前の再生互換要求時においても、フォーマットがどの部分で完了しているかを認識していなければ、未フォーマット部分について正しくフォーマットを行うことができない。
【００３６】
このことから本実施の形態のディスク１に対しては、ディスク上でのフォーマット／未フォーマット部分を管理するためのフォーマッティングビットマップと呼ばれる管理情報を記録するものとしている。
このフォーマッティングビットマップは、データエリアを所定の記録単位により分割し、この記録単位ごとにフォーマット／未フォーマットを示す１ビットの情報を対応させて記録した管理情報である。この場合、上述もしたようにディスク１の記録最小単位は１ＥＣＣブロックとされるので、これに応じデータエリア内の１ＥＣＣブロックを１ビットで表した情報となる。
このフォーマッティングビットマップでは、例えば”０”がフォーマット済みを表し”１”が未フォーマットを表すものとして扱われる。
【００３７】
ところで、先にも説明したようにこのようなフォーマッティングビットマップは、現状の記録層が１層のみのＤＶＤ＋ＲＷでも採用されているものである。
従来のＤＶＤ＋ＲＷでは、フォーマッティングビットマップはその層におけるフォーマット状況を管理するものをその層において記録するようにされている。
そこで、記録層が多層化された本例のディスク１としても、このような現状のＤＶＤ＋ＲＷで採用される手法を踏襲し、各層におけるフォーマット状況を示すフォーマッティングビットマップを各層に対してそれぞれ記録することが考えられる。
【００３８】
しかしながら、このように各記録層についてのフォーマッティングビットマップを各層ごとに設けることによっては、ディスクドライブ装置にてフォーマットを行うに先立ちディスク全体のフォーマット状況を把握するとしたときに、各記録層の間を移動して全記録層のフォーマット状況を確認しなければならないので、その分フォーマットの開始が遅れるといった問題が生じてしまう。
【００３９】
そこで本実施の形態では、ディスク１上の所定の１つの記録層に対し、全ての記録層におけるフォーマット／未フォーマット部分を管理するためのフォーマッティングビットマップを記録するものとしている。
図４は、このような本実施の形態としてのディスク１のデータ構造例を示している。
この図に示すように、フォーマッティングビットマップ（Formatting Bitmap）としては、リードインエリアにおけるInner Disc Identification Zoneと呼ばれる領域内の、ＦＤＣＢ（Formatting Disc Contorol Block）内における所定領域に対し記録するものとされている。
従来の記録層が１層とされるＤＶＤ＋ＲＷでは、ＦＤＣＢは１つのみとされていたが、この場合は記録層の数に応じて、ＦＤＣＢを２つ設けた例を示している。すなわち、この場合はInner Disc Identification Zoneにおいて、第１記録層のデータエリアについての管理情報が記録されるＦＤＣＢ（Formatting Disc Contorol Block for Data Area0）と、第２記録層のデータエリアについての管理情報が記録されるＦＤＣＢ（Formatting Disc Contorol Block for Data Area1）とによる、２つのＦＤＣＢを別個に設けている。
なお、ここでは２つのＦＤＣＢが隣接して記録される例を示しているが、これらのＦＤＣＢは少なくともInner Disc Identification Zone内において記録されるものとすればよい。
そして、このように記録層数に応じて別個に設けたＦＤＣＢ内の所定領域に対して、それぞれ第１記録層のデータエリア内のフォーマット／未フォーマット部分を管理するためのフォーマッティングビットマップ（Formatting Bitmap for Data Area0）、第２記録層のデータエリア内のフォーマット／未フォーマット部分を管理するためのフォーマッティングビットマップ（Formatting Bitmap for Data Area1）が記録されるようにしている。
すなわち、図示するように第１記録層のデータエリアについての管理情報が記録される「ＦＤＣＢ for Data Area0」内の所定領域に対し、「Formatting Bitmap for Data Area0」が記録され、第２記録層のデータエリアについての管理情報が記録される「ＦＤＣＢ for Data Area1」内の所定領域に対し「Formatting Bitmap for Data Area1」が記録されるものである。
【００４０】
この図４に示されるようにして、この場合のディスク１に対しては、所定の１つの記録層に対し、各記録層でのフォーマット／未フォーマット部分を別個に管理する複数のフォーマッティングビットマップが記録される。すなわち、このような記録形態により、１つの記録層にディスク１上の全ての記録層でのフォーマット／未フォーマット部分を管理するための管理情報が集中して設けられるものとなり、これによってディスク１全体のフォーマット状況を把握するにあたっては、各記録層間を移動するシーク動作は不要とすることができる。
つまり、その分フォーマット状況を迅速に把握することができる。
【００４１】
ここで、上記のように１つの記録層に対して全ての記録層でのフォーマッティングビットマップを集中的に設ける本例のディスク１では、フォーマット開始前においては層間の移動は不要とできるが、例えばその後に行われるフォーマットが、フォーマッティングビットマップが設けられていない記録層を対象として行われる場合には、当然のことながら層間の移動は必要となる。また、フォーマット後にはフォーマッティングビットマップの内容を更新する必要があるので、この場合はその記録層でのフォーマット後もフォーマッティングビットマップが設けられる記録層への移動が必要となってしまう。
これに対し、従来の手法を踏襲して各記録層ごとにフォーマッティングビットマップを分散して記録する場合について考察してみると、この場合も最終的にフォーマット状況を確認した記録層とその後に開始されるフォーマットが対象とする記録層とが異なる場合には、層間の移動が必要となるのは同様であるが、各層においてフォーマット後のビットマップ更新のために、層間を移動する必要がないというメリットがある。
但し、本実施の形態の場合としても、フォーマッティングビットマップが設けられる記録層においてフォーマットが行われた場合には、更新のための層間移動は不要とすることができる。さらには、上記もしているように本例ではフォーマット開始前でのフォーマット状況把握のための層間移動は不要であるので、フォーマット実行に係る全体的な層間移動の回数は、本例の方がより少なくすることができる。つまりは、その分効率的な管理を行うことができるようになる。
【００４２】
ところで、図４に示したようなリードインエリア内の情報（Inner Disc Identification Zone、ＦＤＣＢ、Formatting Bitmap）は、記録装置としてのディスクドライブ装置において、未記録のディスク（ブランクディスク）であるディスク１が装填される、或いはホスト機器側からのディスク１の初期化要求が為されたこと等に応じて、ディスク１を初期化する際に記録されるものである。つまりは、図４に示したようなディスク１のデータ構造は、図３に示したディスクドライブ装置によって実現される。
このような本実施の形態のディスク１のデータ構造を実現するために、図３に示したコントローラ１２は、装填されたディスク１がブランクディスクであった場合、又はホスト機器からの初期化要求がある等、ディスク１を初期化すべき状態となることに応じて、ディスク１のリードインエリアに対し図４に示した構造によるデータが格納されるように記録動作を実行させる。
すなわち、リードインエリア内のInner Disc Identification Zone内における、第１記録層についてのＦＤＣＢ、第２記録層についてのＦＤＣＢ内のそれぞれの所定領域に対し、第１記録層についてのフォーマッティングビットマップ（Formatting Bitmap for Data Area0）、第２記録層についてのフォーマッティングビットマップ（Formatting Bitmap for Data Area1）が格納されるように記録動作を実行させるものである。
この場合、先にも説明したようにフォーマッティングビットマップにおいては未フォーマット部分については”１”を記録するようにされるので、これに応じコントローラ１２は、それぞれのフォーマッティングビットマップが格納されるべき領域がすべて”１”となるように記録動作を実行させる。
なお、このような初期化動作は、例えばコントローラ１２内部に初期化に応じて記録すべき値を予め格納しておき、ディスク１を初期化すべき状態となることに応じてその値の記録を指示することで実現することができる。
【００４３】
ここで、これまでの説明では、ディスク１上の所定の１つの記録層に対し全ての記録層についてのフォーマッティングビットマップを記録する例として、各記録層ごとのフォーマット／未フォーマット部分を別個に管理する複数のフォーマッティングビットマップを１つの記録層に対し記録する場合を挙げたが、これに代え、例えば次の図５に示すような変形例とすることも可能である。
先の図４の例では、各層ごとの別個のＦＤＣＢを設けて、それらの中に各層を別個に管理するフォーマッティングビットマップを格納するものとしていたが、この図５に示される変形例では、全ての記録層を対象として管理する１つのＦＤＣＢを設けるものとし、これに合わせＦＤＣＢ内に格納するフォーマッティングビットマップとしても全ての記録層を対象として管理する１つのフォーマッティングビットマップを設けるようにしたものである。
具体的に、この場合はInner Disc Identification Zone内の所定領域に対し、第１記録層と第２記録層とを対象として管理する１つのＦＤＣＢ（FDCB for Data Area0&Data Area1）が記録され、このＦＤＣＢ内の所定領域に、第１記録層におけるデータエリアと第２記録層におけるデータエリアとにおけるフォーマット／未フォーマット部分を管理する１つのフォーマッティングビットマップ（Formatting Bitmap for Data Area0&Data Area1）が記録されたものとなる。
【００４４】
このような変形例によっても、フォーマッティングビットマップが１つの記録層にのみ記録されるので、ディスク１全体のフォーマット状況を迅速に把握することができ、これによってフォーマットを迅速に開始できる。
さらにこの場合は、ディスク１全体についてのフォーマッティングビットマップが１つの連続した領域に格納されるので、先の図４の場合では各フォーマッティングビットマップ間のシーク動作が必要であったものを省略することができ、その分より迅速にディスク１全体のフォーマット状況を把握できる。
【００４５】
ここで、本発明としてはこれまでに説明した実施の形態に限定されるべきものではない。
例えば実施の形態では、ディスク１の記録層が２層とされる場合を例示したが、３層以上の場合も同様に、所定の１つの記録層に対し全ての記録層におけるフォーマット／未フォーマット部分を管理するためのフォーマッティングビットマップを記録することで、同様の効果を得ることができる。
【００４６】
また、本実施の形態では、ディスク１がオポジットトラックパスを採用する場合を例に説明したが、記録方向が各記録層で同方向となるパラレルパスのディスクとしても、同様に所定の１つの記録層に対し全ての記録層におけるフォーマット／未フォーマット部分を管理するためのフォーマッティングビットマップを記録することで、同様の効果を得ることができる。
【００４７】
また、フォーマッティングビットマップとしてはリードインエリアとしての最内周部分に記録する場合を例示したが、最外周部分に設ける等、所定の１つの記録層における所定部分に対して記録されていればよい。
【００４８】
また、ディスク１がＤＶＤ＋ＲＷとされる場合を例示したが、ＤＶＤ−ＲＷやＣＤ−ＲＷ等他の書き換え可能ディスクであって、同様にフォーマットとしてのダミーデータの記録を行う仕様のディスクであれば、本発明を好適に適用できる。
【図面の簡単な説明】
【００４９】
【図１】本実施の形態の光ディスク記録媒体の断面構造を示した断面図である。
【図２】本実施の形態の光ディスク記録媒体のエリア構造を示した図である。
【図３】本実施の形態の記録装置の内部構成を示したブロック図である。
【図４】本実施の形態の光ディスク記録媒体のデータ構造として、特にリードインエリア内のデータ構造について示した図である。
【図５】実施の形態の変形例としての光ディスク記録媒体のデータ構造について示した図である。
【図６】ディスクに対してユーザデータが記録された状態を示した図である。
【図７】バックグラウンドフォーマット及びテンポラリーリードアウトについて説明するための図である。
【符号の説明】
【００５０】
１  ディスク、２  スピンドルモータ、３  光ピックアップ、８  ＲＦアンプ、９  再生信号処理部、１０  サーボ制御部、１１  ＤＲＡＭ、１２  コントローラ、１３  ホストインターフェース、１４  変調部、１５  レーザ変調回路
【図１】
2006338771.tif 000003
【図２】
2006338771.tif 000004
【図３】
2006338771.tif 000005
【図４】
2006338771.tif 000006
【図５】
2006338771.tif 000007
【図６】
2006338771.tif 000008
【図７】
2006338771.tif 000009